(57)【特許請求の範囲】
【請求項１】
物品を収納する収納部の開閉に伴って移動する収納部の前面起立板（Ｄ）に取付けて使用する簡易テーブルであって、前記前面起立板（Ｄ）に掛止する掛止部材（１）と、該掛止部材（１）に傾倒可能に取付けられた天板（２）と、前記掛止部材（１）に対して接離可能に備えられた支持部材（３）とで構成され、前記天板（２）の裏面に、前記支持部材（３）を所定の位置に停止させる係止部材（８）を設け、前記支持部材（３）を前記掛止部材（１）に接近させたときに、前記天板（２）が傾倒する一方、前記支持部材（３）を前記掛止部材（１）から離間させたときに、該支持部材（３）が前記天板（２）を支持して該天板（２）上に物品を載置できるようにしたことを特徴とする簡易テーブル。
【請求項２】
前記支持部材（３）が、前記掛止部材（１）の所定部位を回転中心にして所定の回転半径で水平方向に回転自在に設けられた請求項１記載の簡易テーブル。
【請求項３】
前記回転中心となる回転軸（４）を設け、該回転軸（４）の一端を前記掛止部材（１）の前記所定部位に回転自在に取付けるとともに、他端を床面に回転自在に当接させ、前記支持部材（３）を該回転軸（４）に連結した請求項２記載の簡易テーブル。
【請求項４】
前記支持部材（３）及び前記回転軸（４）が、平行に配置された棒状体とされ、前記支持部材（３）の一端部に前記天板（２）に当接する当接部（４２）が形成されるとともに、該支持部材（３）及び前記回転軸（４）の他端に、床面を転動するローラー（５）が取付けられた請求項３記載の簡易テーブル。
【請求項５】
前記ローラー（５）は、前記支持部材（３）及び回転軸（４）に該支持部材（３）及び該回転軸（４）の軸方向の位置調整が可能に取付けられた請求項４記載の簡易テーブル。
【請求項６】
前記掛止部材（１）は、前記支持部材（３）及び回転軸（４）が取付けられるフレーム（６）と、該フレーム（６）に移動可能に取付けられた掛止片（７）とで構成され、該掛止片（７）を移動させることにより前記前面起立板（Ｄ）の板厚に対応させ、前記掛止片（７）を該前面起立板（Ｄ）に掛止できるようにした請求項３乃至５の何れかに記載の簡易テーブル。
【発明の詳細な説明】
【０００１】
【発明の属する技術分野】
本発明は、台所の未使用スペースを有効利用する簡易テーブルに関する。
【０００２】
【従来の技術】
従来から台所で調理する場合、台所に設置されたシンクに隣接して設けられた調理台で、調理にかかる材料の下拵えを行うのが一般的である。ここで、材料の下拵えとは、調理に使用する材料を切ったり、後工程の煮炊き等の前に材料に下味をつけたりすることである。
【０００３】
【発明が解決しようとする課題】
しかしながら、シンクに隣接して設けられた調理台、いわゆる調理スペースは、限られた広さしかなく、材料の下拵えを行うスペースを確保すれば、調理台上に下拵えをする材料を置く場所を確保することができない場合があった。特に、多種の材料を必要とする料理を作る場合には、下拵えされた材料を置く場所さえ確保することができない場合があった。
【０００４】
また、調理スペースを広くするために、別途台を配置すれば、台を必要としないときに、該台が邪魔になる場合があった。くわしくは、台が邪魔になり、シンクの下方に設けられた収納部などの扉を開閉するころができず、かかる台を邪魔とならない場所に移動させなければならないことがあった。
【０００５】
そこで、本発明は、上記課題を解決すべく、調理の進行を阻害することなく、必要に応じて台所の未使用スペースを有効利用することができる簡易テーブルを提供することを課題とする。
【０００６】
【課題を解決するための手段】
本発明にかかる簡易テーブルは、上記課題を鑑みなされたもので、請求項１記載の如く、物品を収納する収納部の開閉に伴って移動する収納部の前面起立板Ｄに取付けて使用する簡易テーブルであって、前記前面起立板Ｄに掛止する掛止部材１と、該掛止部材１に傾倒可能に取付けられた天板２と、前記掛止部材１に対して接離可能に備えられた支持部材３とで構成され、前記天板２の裏面に、前記支持部材３を所定の位置に停止させる係止部材８を設け、前記支持部材３を前記掛止部材１に接近させたときに、前記天板２が傾倒する一方、前記支持部材３を前記掛止部材１から離間させたときに、該支持部材３が前記天板２を支持して該天板２上に物品を載置できるようにしたことを特徴とする。ここで、前記収納部とは、台所に設置されたシンクやガスコンロに隣接して配置された戸棚や、引き出しなどの物品を収納する部分をいい、前面起立板Ｄとは、収納部の前面に開閉自在に取付けられた扉や、引き出しの前面部分の起立した板材をいう。
【０００７】
上記構成の簡易テーブルによれば、調理スペースを確保することが困難な場合には、天板２を起こして該天板２を支持部材３で支持させれば物品を載置することができ、調理台だけで調理スペースを確保できる場合や材料の下拵えが完了して広い調理スペースが不必要となった場合には、天板２を傾倒させておけば、調理人が台所内を移動するときに、該天板２が邪魔にならなくなる。したがって、本発明にかかる簡易テーブルは、調理の状況に応じた使用が可能となる。また、掛止部材１を前面起立板Ｄに掛止しているので、支持部材３を掛止部材１に接近させて天板２を傾倒しても、簡易テーブル自体が倒れることがなく、調理人は、簡易テーブルの置き場所や転倒を気にすることなく、調理を続行することができる。また、収納部の開閉を行う場合には、前面起立板Ｄに移動に伴って、簡易テーブル全体が一緒に移動するので、わざわざ簡易テーブルを退けることなく、収納部の開閉を円滑に行うことができる。また、天板２の裏面に、前記支持部材３を所定の位置に停止させる係止部材８を設けているので、天板２を安定して支持できる位置に支持部材３を確実に止めることができる。また、天板２を支持している支持部材３が不用意に移動して天板２から外れるのを防止することができる。つまり、係止部材８を設けることで、天板２が不用意に傾倒してしまうことを防止できる。
【０００８】
また、請求項２記載の如く、前記支持部材３が、前記掛止部材１の所定部位を回転中心にして所定の回転半径で水平方向に回転自在に設けられれば、支持部材３を掛止部材１側に回転させるだけで、支持部材３を掛止部材１に接近させることができる。これにより、天板２に物品を置く必要のないときや、天板２が邪魔になるときには、容易に天板２を傾倒させることができる。
【０００９】
さらに、請求項３記載の如く、前記回転中心となる回転軸４を設け、該回転軸４の一端を前記掛止部材１の前記所定部位に回転自在に取付けるとともに、他端を床面に回転自在に当接させ、前記支持部材３を該回転軸４に連結してもよい。このようにすれば、回転軸４が天板２及び天板２に載置した物品の荷重を受けて、床面に支持力を生じさせるので、簡易テーブルを掛止させた前面起立板Ｄにかかる荷重が直接かかりにくくなり、天板２上に載置する物品の許容荷重を大きくすることができる。また、回転軸４に連結された支持部材３を安定させて回転させることができる。
【００１０】
また、請求項４記載の如く、前記支持部材３及び前記回転軸４が、平行に配置された棒状体とされ、前記支持部材３の一端部に前記天板２に当接する当接部４２が形成されるとともに、該支持部材３及び前記回転軸４の他端に、床面を転動するローラー５が取付けられてもよい。このようにすれば、天板２を起こして物品を載置するために支持部材３を移動させるときに、回転軸４の他端は、同じ位置で回転し、支持部材３は、回転軸４を中心に所定の回転半径で回転するが、ローラー５を設けることにより、かかる支持部材３及び回転軸４を円滑に移動させることができる。また、支持部材３が天板２を支持するときに、支持部材３及び回転軸４が、ローラー５を介して床面に当接した状態となっているので、物品を載置しても天板２を支持する支持力を床面に作用する。これにより、天板２に重い物品を置いても、天板２が傾倒することなく安定した状態を維持することができる。
【００１１】
さらに、請求項５記載の如く、前記ローラー５は、前記支持部材３及び回転軸４に該支持部材３及び該回転軸４の軸方向の位置調整が可能に取付けられてもよい。このようにすれば、簡易テーブル移動させ、該簡易テーブルを高さの異なる他の収納部の前面起立板Ｄに掛止させる場合であっても、前面起立板Ｄの高さに関係なく、支持部材３および回転軸４のローラー５を床面に当接させることができる。これにより、床面に支持力を生じさせることができるので、支持部材３が天板２を安定して支持することができる。つまり、種類や大きさの異なる収納部を有するシステムキッチンや戸棚を多数のメーカーが製造しているが、本発明にかかる簡易テーブルは、各メーカーの製品によって異なる収納部の前面起立板Ｄの高さに対応するように、支持部材３及び回転軸４に取り付けたローラー５の各々を床面に当接させることができる。
【００１２】
そして、請求項６記載の如く、前記掛止部材１は、前記支持部材３及び回転軸４が取付けられるフレーム６と、該フレーム６に移動可能に取付けられた掛止片７とで構成され、該掛止片７を移動させることにより前記前面起立板Ｄの板厚に対応させ、前記掛止片７を該前面起立板Ｄに掛止できるようにすれば、簡易テーブルを移動させて異なる板厚の前面起立板Ｄに掛止させる場合であっても、確実に掛止することができる。つまり、本発明にかかる簡易テーブルは、種々の前面起立板Ｄに掛止することができるのである。
【００１４】
【発明の実施の形態】
以下、本発明にかかる簡易テーブルの一実施形態について、図面を参酌しつつ説明する。
【００１５】
本実施形態にかかる簡易テーブルは、図１に示す如く、台所のシンクの下方に設けられた収納部の前面起立板である扉Ｄに掛止する掛止部材１と、該掛止部材１に水平方向に回転自在に取付けられた回転支持体１８と、該掛止部材１に上下方向に傾倒自在に蝶着され、略水平に起こされたときに前記回転支持体１８に支持されて物品の載置が可能となる天板２とで構成されている。
【００１６】
前記掛止部材１は、前記天板２及び回転支持体１８が取付けられるフレーム６と、該フレーム６に位置調整可能に取付けられて掛止片７とで構成されている。
【００１７】
前記フレーム６は、前記扉Ｄの幅より短い長さを有した断面コの字状の棒体であり、このコの字状の対向した片が、前記フレームの上下面となる。かかるフレーム上面となる片（以下、単に上片という）９には、前記掛止片７を取付けるために、所定の間隔を有した一対のネジ穴１０が穿孔されている。また、前記天板２を上下方向に傾倒可能とする蝶着手段３６を取付けるために、前記掛止片７と蝶着手段３６とが干渉しない位置に蝶着手段３６の取付け用の穴１１が穿孔されている。さらに、上辺９の一端部には、前記回転支持体１８を取り付けるネジ３５を挿通する穴４５が穿孔されている。一方、フレームの下面となる片（以下、単に下片という）１２の一端部には、上片９の回転支持体１８を取り付けるネジ３５を挿通する穴４５と同一軸心となるように、前記回転支持体１８を回転可能に取り付けるための軸穴１３が穿孔されている。また、他端部には、前記回転支持部１８の一部を収納するＵ字状の切り欠き部１４が形成されている。くわしくは、前記フレーム６の下片１２の他端部に、前記上片９と下片１２とを連結している立部１５とは反対側の下片１２の一側端に開口を形成するようにＵ字状に切り欠かれた切り欠き部１４が設けられている。
【００１８】
前記掛止片７は、短冊状の板材がＬ字状に屈曲されたものである。かかる掛止片７の一方の片は、前記扉Ｄの板厚と前記フレーム６の上片９の幅の合計と略同等の長さを有し、他方の片は、扉Ｄに安定して掛止できる長さを有している。そして前記一方の片には、該一方の片の長さ方向に長さを有する位置調整用の長穴１６が穿孔されている。そして、かかる掛止片７は、一方の片が下方に位置するように、掛止片７の長穴１６を介して前記フレーム６の上片のネジ穴１０にネジ１７を螺嵌して前記フレーム６に取付けられている。
【００１９】
前記回転支持体１８は、一対の筒体３，４と、該筒体３，４と略直角を成し、該筒体３，４同士を平行且つ所定の間隔で連結する一対の連結材２５，２５と、前記一対の筒体３，４の夫々に該筒体３，４の軸心方向の位置調整が可能なように取付けられ、前記一対の筒体３，４の移動を円滑にするために床面上を転動する一対のローラー体１９とで構成されている。
【００２０】
前記一対の筒体３，４は、前記掛止部材１の切り欠き部１４内に遊嵌できる外径とされ、該一対の筒体３，４が起立した状態で前記扉Ｄの上端から床面までの高さより低くなる長さとされている。そして、かかる一対の筒体３，４の一方の筒体４が回転軸とされ、他方の筒体３が前記天板２を支持する支持部材４とされている。前記回転軸４の他端開口には、ネジ穴２１が穿孔された円柱状の蓋体２０が、他端開口よりやや突出するように、圧入されている。また、支持部材３の他端開口には、前記天板２の裏面に当接する当接部４２を形成する円柱状の当接部材２２が、前記蓋体２０と同様に、他端開口からやや突出するように圧入されている。そして、前記支持部材３及び回転軸４のそれぞれの一端部近傍の外周の一部には、該筒体の軸心方向に長さを有する長穴２３が穿孔されている。また、前記支持部材３及び回転軸４のそれぞれには、前記連結材２５を固定するための連結ネジ２７を挿通する貫通した一対のネジ挿通穴２４が、該筒体３，４の軸心方向に所定の間隔を有し、且つ筒体３，４の軸心に直交するように穿孔されている。
【００２１】
前記一対の連結材２５ ，２５のそれぞれは、前記支持部材３及び回転軸４の外径より細い棒体で形成されている。かかる棒体２５，２５は、前記支持部材３と回転軸４との軸心間距離が前記フレーム６の下片１２の軸穴１３の中心と、切り欠き部１４の中心との距離との距離と略同等となる長さとされており、両端面に該棒体２５，２５の軸心方向のネジ穴２６が穿孔されている。そして、一対の連結材２５，２５の夫々は、連結ネジ２７が前記支持部材３及び回転軸４のそれぞれのネジ挿通穴２４を介して、前記連結材２５のそれぞれの端面に穿孔したネジ穴２６に螺嵌され、前記支持部材３と回転軸４とを連結している。つまり、前記一対の連結材２５，２５は、支持部材３及び回転軸４夫々の前記ネジ挿通穴２４が対向するように支持部材３と回転軸４とを連結しているのである。
【００２２】
そして、前記ローラー体１９は、図２に示す如く、前記支持部材３及び回転軸４のそれぞれの一端開口から筒体内に挿入される円柱状の挿入部材２８と、該挿入部材２８の一端に取付けられた回転自在なローラー５とで構成されている。
前記挿入部材２８の一端面には、前記ローラー５を取付けるネジ穴２９が穿孔されており、他端部近傍の外周面には、前記支持部材３及び回転軸４のそれぞれに蝶ネジ３４で固定するための固定用ネジ穴３０が前記挿入部材２８の軸心と直交するように穿孔されている。
前記ローラー５は、回転自在な車輪３１と、該車輪３１が水平方向に回転自在に取付けられた回転座３２と、該車輪３１の回転軸と直交して前記回転座３２に接合された取付用ネジ３３とで構成されている。そして、かかるローラー５は、前記挿入部材２８の一端面に穿孔されたネジ穴２９に、ローラー５の取付け用ネジ３３が螺嵌されて前記挿入部材２８に取付けられている。
上記構成の一対のローラー体１９，１９の夫々は、前記支持部材３及び回転軸４である一対の筒体のそれぞれの一端開口から該筒体内に、該ローラー体１９の挿入部材２８が挿入され、前記支持部材３及び回転軸４のそれぞれの一端部近傍に穿孔された長穴２３を介して、蝶ネジ３４が前記挿入部材２８の固定用ネジ穴３０に螺嵌されて前記支持部材３及び回転軸４に固定されている。
【００２３】
図１に戻り、上記構成の回転支持体１８は、該回転支持体１８の回転軸４の他端部が前記掛止部材１の下片１２の一端に穿孔された軸穴１３に挿通され、該回転軸４の蓋体２０のネジ穴２１に、前記掛止部材１の上片９に穿孔された穴４５に挿通されたネジ３５が螺嵌されて前記フレーム６に回転自在に取付けられている。
【００２４】
前記天板２は、略長方形状の樹脂製の板材で形成されている。該天板２の長手方向の一端には、取付け用の穴４０を有する蝶着手段３６が前記掛止部材１のフレーム６に穿孔された穴１１に対応した位置に取付けられている。また、天板２の裏面には、前記回転支持体１８の位置決めをする係止部材としての位置決め部材８が取付けられている。図３は、回転支持体１８の支持部材３の一部および当接部材２２を含む前記位置決め部材１８の部分拡大斜視図である。かかる位置決め部材８は、前記回転支持体１８の当接部材２２を係着可能とした係着材３７と、該係着材３７を前記天板２の裏面に固定する固定片３８とで形成されている。
かかる係着材３７は、弾性を有する棒体をＵ字状に湾曲させたものである。詳しくは、棒体が前記回転支持体１８の支持部材３の外径に対応した曲げ半径でＵ字状に曲げられ、さらにＵ字状に曲げられた棒体の両端部を小さな曲げ半径で外側に湾曲させたものである。
前記固定片３８は、板材をＬ字状に屈曲して形成されたものであり、一方の片が、天板の裏面に当接して固定される当接固定片４５となり、他方の片が前記係着材を支持する支持片４３となり、前記当接固定片４５には、木ネジ４４を挿通する穴３９が穿孔されている。そして、前記係着材３７の軸心と前記固定片４３とが平行をなすように、前記係着材３７のＵ字の頂点近傍が前記支持片４３の一端の一部に溶着されている。
図１に戻り、上記構成の位置決め部材８は、係着材３７のＵ字開口の中心が前記回転支持体１８の支持部材３の回転軌跡上に位置し、且つ前記掛止部材１側に位置するように、前記当接固定片４５の穴に木ネジ４４を挿通するとともに、天板２の裏面に螺嵌して該天板２の裏面の長手方向の中心線上に固定されている。
【００２５】
そして、上記構成の天板２は、該天板２が少なくとも水平から下方に傾倒できるように、前記掛止部材１のフレーム６の上片９に穿孔された穴１１及び該天板２の蝶着手段３６の穴４０にリベット４１を挿通し、該リベット４１をかしめて前記フレーム６に取付けられている。
【００２６】
上記構成の簡易テーブルを台所の収納部の扉Ｄに設置する場合、掛止部材１の掛止片７の他方の片とフレーム６の立部１５とで扉Ｄの上端部の一部を挟むように、前記掛止片７を長穴１６の長さ方向に移動させて調整して固定する。そして、前記ローラー体１９のローラー５と床面とが当接するように、前記回転支持体１８の支持部材３及び回転軸４の一端開口に挿入されたローラー体１９を筒体の軸心方向に位置調整して支持部材３及び回転軸４の夫々の長穴２３に挿通した蝶ネジ３４を締め付けてローラー体１９の位置を固定する。
【００２７】
このように設置された簡易テーブルは、台所の調理台だけでは調理が行えない場合、すなわち、調理台だけでは調理スペースが確保できない場合、前記天板２を略水平となるまで持上げ、その状態を維持したまま、支持部材３の当接部材２２が天板２の係着材３７のＵ字状の凹部内に位置するまで回転支持体１８を回転させる。このとき、支持部材３の一端に設けたローラー５は、支持部材３の回転軌跡に対応するように床面を転動し、回転軸４の一端のローラー５は、回転軸の回転に対応して転動する。そして、天板２の裏面と当接部材２２の当接部４２とが当接するように天板２を支持部材３上に載置する。このようにすれば、天板２が略水平を維持して該天板２上に物品（調理材料等）を載置できるようになる。また、収納部を開閉する必要が生じた場合、支持部材３及び回転軸４の一端にローラー５を設けたので、かかる状態のまま扉Ｄを開けば、簡易テーブルも扉Ｄの動きに従動して移動する。したがって、収納部を開閉する場合であっても、かかる簡易テーブルをわざわざ退けることなく、収納部の開閉を行うことができる。
【００２８】
一方、台所の調理台のみで調理を行える場合、すなわち、調理台のみで調理スペースを確保できる場合には、図４に示す如く、前記回転支持体１８の支持部材３の当接部４２が前記掛止部材１のフレーム６の切り欠き部１４内に位置するまで回転支持体１８を回転させれば、天板２を支持していた支持部材３が天板２の下方に位置しなくなるので、天板２を下方に傾倒することができる。したがって、物品を載置しないときに、簡易テーブルが邪魔とならないように収納することができる。また、物品を載置するために天板２を起こしたときと同様に、収納部を開閉する必要が生じた場合、支持部材３及び回転軸４の一端にローラー５を設けたので、かかる状態のまま扉Ｄを開けば、簡易テーブルも扉Ｄの動きに従動して移動する。したがって、収納部を開閉する場合であっても、かかる簡易テーブルをわざわざ退けることなく、収納部の開閉を行うことができる。
【００２９】
以上のように、必要に応じて天板２を起伏させるとともに回転支持体１８を回転させることで、調理状況に応じた調理スペースを確保することができる。
【００３０】
また、収納部の扉Ｄに掛止させるので、天板２を支持する支持部材３の当接部材２２が掛止部材１内に位置するように格納しても、簡易テーブル自体が不用意に倒れることがなく安全である。
【００３１】
さらに、支持部材３及び回転軸４にローラー５を設けたので、収納部の開閉を行う場合であっても、扉Ｄとともに簡易テーブル全体が移動し、扉Ｄから簡易テーブルを取り外す必要がない。
【００３２】
また、掛止片７及びローラー体１９を位置調整可能としたので、収納部の扉Ｄの高さや板厚に関係なく、色々な収納部の扉Ｄにも取付けることができる。
【００３３】
そして、位置決め部材８を設けたので、回転支持体１８の位置決めが容易となるとともに、該位置決め部材８の係着材３７で、支持部材３の当接部材２２を係着するので、回転支持体１８が不用意に回転することがない。これにより、天板２に物品を載置した際に、天板２が不用意に傾倒することがなく、物品の落下を防止することができる。
【００３４】
また、支持部材３は、天板２及び物品の荷重を床面に支持力として作用させ、回転軸４は、掛止部材１に生じる荷重を床面の支持力として作用させるので、天板２を安定した状態で支持することができる。
【００３５】
なお、本発明にかかる簡易テーブルは、上記実施形態に限定されるものではなく、本発明の趣旨を逸脱しない範囲で種々の変更が可能である。
【００３６】
したがって、前記支持部材３と回転軸４を連結する連結材２５は、前記支持部材３及び回転軸４に連結ネジ２７によって連結されるものに限定されるものではなく、例えば、溶着したものであってもよい。
【００３７】
また、前記支持部材３及び回転軸４は、筒体に限定されるものではなく、棒体であってもよい。この場合、ローラー体１９の挿入部材２８を円柱状のものから筒体に代えて、該筒体内に棒体とされた前記支持部材３及び回転軸４の一端部を挿入すれば、ローラー体１９の位置調整が可能となる。
【００３８】
さらに、ローラー５は、車輪３１を有するものに限定されるものではなく、床面に当接したボールが球冠状の凹部内を摺動するものなどであってもよい。
【００３９】
また、天板２の水平を調整するために、前記当接部材２２を出退可能なものとしてもよい。
【００４０】
さらに、支持部材３と回転軸４とを連結する連結材２５を伸縮自在なものとしてもよい。このようにすれば、支持部材３を回転軸４に接離可能となる。つまり、回転軸４が掛止部材１に固定されているので、支持部材３は、掛止部材１と接離可能となる。したがって、支持部材３が掛止部材１から離間したときに、該支持部材３は、天板２を支持することができる。この場合、支持部材３は、連結材２５の伸縮により掛止部材１に接離可能となっているので、必ずしも支持部材３を回転軸４を中心にして回転させる必要はない。もちろん、連結材２５の伸縮と、支持部材３の回転と組み合わせることも可能である。
【００４１】
【発明の効果】
以上の如く、本発明にかかる簡易テーブルの効果として、物品を載置する天板を傾倒可能に設けたので、調理スペースを広くする必要がある場合には、天板を起こして該天板上に物品を置くことができ、調理スペースを広くする必要のない場合には、調理人の台所内の移動の邪魔とならないように天板を傾倒して格納することができる。
【００４２】
また、物品を収納する収納部の扉などの前面起立板に掛止して設置するので、前記収納部の開閉を行う際に、天板の起伏関係なく、該前面起立板とともに簡易テーブル全体を移動させることができ、簡易テーブルを取り外したり、退けたりすることなく、円滑に収納部の開閉を行うことができる。
【図面の簡単な説明】
【図１】本発明の一実施形態にかかる簡易テーブルの一部断面を含む全体斜視図。
【図２】同実施形態にかかる簡易テーブルのローラー体の取付け部分断面図。
【図３】同実施形態にかかる簡易テーブルの位置決め部材に回転支持体の支持部材を係着させた状態の部分拡大斜視図。
【図４】同実施形態にかかる簡易テーブルの天板を傾倒させた状態側面図。
【符号の説明】
１…掛止部材、２…天板、３…支持部材、４…回転軸、５…ローラー、６…フレーム、７…掛止片、８…係止部材、９…上片、１０…ネジ穴、１１…穴、１２…下片、１３…軸穴、１４…切り欠き部、１５…立部、１６…長穴、１７…ネジ、１８…回転支持体、１９…ローラー体、２０…蓋体、２１…ネジ穴、２２…当接部材、２３…長穴、２４…ネジ挿通穴、２５…連結材、２６…ネジ穴、２７…連結ネジ、２８…挿入部材、２９…ネジ穴、３０…固定用ネジ穴、３１…車輪、３２…回転台座、３３…取付け用ネジ、３４…蝶ネジ、３５…ネジ、３６…蝶着手段、３７…係着材、３８…固定片、３９、４０…穴、４１…リベット、４２…当接部、４３…支持片、４４…木ネジ、４５…当接固定片
【図１】
0003679029.tif 000002
【図２】
0003679029.tif 000003
【図３】
0003679029.tif 000004
【図４】
0003679029.tif 000005